(57)【要約】【課題】蓋の開放をより簡便に行える密封容器を提供する。【解決手段】外周にダイアフラム部１が連設された注出筒２と、注出筒２の先端部２ａを押圧閉塞する閉状態及び注出筒２の先端部２ａから離間し所定角度開いた開状態になるように回動可能な蓋３と、閉状態の蓋３に係止して開くことを妨げる係止手段５とを具備し、前記閉状態の蓋３に係止手段５が係止している状態では、ダイアフラム部１は注出筒２を介して蓋３によって押圧されて弾性変形し、弾性エネルギーを蓄積した状態にあり、係止手段５による蓋３に対する係止が解除されると、前記弾性エネルギーが蓋３に伝達されて蓋３の運動エネルギーに変換され、蓋３が回動して前記開状態になるように構成してある。【選択図】図１
2014091555.tif 000002
【特許請求の範囲】
【請求項１】
外周にダイアフラム部が連設された注出筒と、前記注出筒の先端部を押圧閉塞する閉状態及び前記注出筒の先端部から離間し所定角度開いた開状態になるように回動可能な蓋と、前記閉状態の前記蓋に係止して該蓋が開くことを妨げる係止手段とを具備し、
前記閉状態の前記蓋に前記係止手段が係止している状態では、前記ダイアフラム部は前記注出筒を介して前記蓋によって押圧されて弾性変形し、弾性エネルギーを蓄積した状態にあり、前記係止手段による前記蓋に対する係止が解除されると、前記弾性エネルギーが前記蓋に伝達されて該蓋の運動エネルギーに変換され、前記蓋が回動して前記開状態になるように構成してあることを特徴とする密封容器。
【請求項２】
前記蓋の内面には、該蓋が前記閉状態のときに前記注出筒の先端部を密封するシール部が設けられ、
容器本体の外方へ突出する前記注出筒の先端部は、前記蓋から離間しているときには、前記閉状態にあるときの前記蓋における前記シール部よりも前記容器本体の外方に位置し、かつ、前記開状態から前記閉状態になるときの前記蓋に押圧されて前記容器本体の内方に向けて押し込まれる位置にある請求項１に記載の密封容器。
【請求項３】
前記係止手段は、一回の係止解除操作で前記蓋を完全にフリーな状態とするように構成されている請求項１または２に記載の密封容器。
【請求項４】
前記蓋を回動可能に保持するヒンジ手段を具備し、該ヒンジ手段は、前記蓋の前記開状態を維持する機能を有する請求項１に記載の密封容器。
【請求項５】
前記所定角度は、前記注出筒を真上に向けた場合に前記蓋が前記注出筒の直上から退避した状態となる角度である請求項１に記載の密封容器。
【発明の詳細な説明】
【技術分野】
【０００１】
この発明は、例えば、食品を入れるために用いられる密封容器に関する。
【背景技術】
【０００２】
特許文献１の密封びんは、本出願人が提案したものであり、びん本体の口部にパッキングを装着し、このパッキングの中央に設けた注出口を蓋が密封し、また、パッキングの周縁部が蓋とびん本体の口部との間を密封するようにしてある。
【０００３】
斯かる密封びんでは、パッキングによる二重の密封により、食品等を極めて衛生的に保存することができる。
【先行技術文献】
【特許文献】
【０００４】
【特許文献１】実開昭６２−１６８３５７号公報
【発明の概要】
【発明が解決しようとする課題】
【０００５】
しかし、上記密封びんでは、蓋を開放するには、バックルを引き上げる操作と、蓋保持リングからフックを外す操作と、蓋を持ち上げる操作の三段階の操作が必要であり、手間が掛かるという問題がある。
【０００６】
本発明は上述の事柄に留意してなされたもので、その目的は、蓋の開放をより簡便に行える密封容器を提供することにある。
【課題を解決するための手段】
【０００７】
上記目的を達成するために、本発明に係る密封容器は、外周にダイアフラム部が連設された注出筒と、前記注出筒の先端部を押圧閉塞する閉状態及び前記注出筒の先端部から離間し所定角度開いた開状態になるように回動可能な蓋と、前記閉状態の前記蓋に係止して該蓋が開くことを妨げる係止手段とを具備し、前記閉状態の前記蓋に前記係止手段が係止している状態では、前記ダイアフラム部は前記注出筒を介して前記蓋によって押圧されて弾性変形し、弾性エネルギーを蓄積した状態にあり、前記係止手段による前記蓋に対する係止が解除されると、前記弾性エネルギーが前記蓋に伝達されて該蓋の運動エネルギーに変換され、前記蓋が回動して前記開状態になるように構成してある（請求項１）。
【０００８】
上記密封容器において、前記蓋の内面には、該蓋が前記閉状態のときに前記注出筒の先端部を密封するシール部が設けられ、容器本体の外方へ突出する前記注出筒の先端部は、前記蓋から離間しているときには、前記閉状態にあるときの前記蓋における前記シール部よりも前記容器本体の外方に位置し、かつ、前記開状態から前記閉状態になるときの前記蓋に押圧されて前記容器本体の内方に向けて押し込まれる位置にあるようにしてもよい（請求項２）。
【０００９】
上記密封容器において、前記係止手段は、一回の係止解除操作で前記蓋を完全にフリーな状態とするように構成されていてもよい（請求項３）。
【００１０】
上記密封容器が、前記蓋を回動可能に保持するヒンジ手段を具備し、該ヒンジ手段は、前記蓋の前記開状態を維持する機能を有していてもよい（請求項４）。
【００１１】
上記密封容器において、前記所定角度は、前記注出筒を真上に向けた場合に前記蓋が前記注出筒の直上から退避した状態となる角度であってもよい（請求項５）。
【発明の効果】
【００１２】
本願発明では、蓋の開放をより簡便に行える密封容器が得られる。
【００１３】
すなわち、本願の各請求項に係る発明の密封容器では、係止手段による蓋に対する係止を解除するだけで蓋が自動的に所定角度開く自動オープン機能を発揮するのであり、使い勝手の向上を図ることができる。
【００１４】
請求項３に係る発明の密封容器では、ワンタッチで蓋が開くワンタッチオープン機能を確実に発揮するのであり、使い勝手の向上がより確実なものとなる。
【００１５】
請求項４に係る発明の密封容器では、容器の内容物を注出筒から注出するときに、容器を上下逆さにしても、開状態となった蓋が自重によって閉まるような不都合は生じないので、注出性能が良好となる。
【００１６】
ここで、蓋を開状態としたときに、仮に蓋が少ししか開いていないと注出筒から容器の内容物を注出する際に蓋をさらに開く追加操作が必要になるが、請求項５に係る発明の密封容器では、開状態の蓋は注出作業に充分な程度開いているのでそのような追加操作を不要とすることができ、この点でも利便性に優れたものとなる。
【図面の簡単な説明】
【００１７】
【図１】本発明の一実施の形態に係る閉状態の密封容器の構成を概略的に示す部分切断正面図である。
【図２】開状態の前記密封容器の構成を概略的に示す部分切断正面図である。
【図３】前記密封容器のヒンジ手段の構成を概略的に示す斜視図である。
【発明を実施するための形態】
【００１８】
本発明の実施の形態について図面を参照しながら以下に説明する。
【００１９】
本実施の形態に係る密封容器（以下、本密封容器という）は、図１及び図２に示すように、基端側の外周にダイアフラム部１が連設された注出筒２と、平面視円形状の蓋３と、蓋３が注出筒２の先端部（注出口）２ａを押圧閉塞する閉状態（図１参照）及び注出筒２の先端部２ａから離間し所定角度開いた開状態（図２参照）になるように蓋３を回動可能に保持するヒンジ手段４と、前記閉状態の蓋３（図１参照）に係止して蓋３が開くことを妨げる係止手段５とを具備している。
【００２０】
そして、本密封容器は、高い密封性能を発揮し、衛生面でも優れたものである。
【００２１】
この点につき詳述すると、まず、ガラス製（本例ではソーダライムガラス製）の容器本体６の開口縁部６ａに対して、弾性及びシール性に優れた合成樹脂製（本例ではシリコーンゴム製）のパッキン（注出口形成体の一例）７が嵌合（咬合）により装着される。このパッキン７の外周部７ａは、容器本体６の開口縁部６ａに嵌合するように環状凹溝状に形成され、この外周部７ａの内周側にダイアフラム部１及び注出筒２が連設されている。そして、図１に示すように、蓋３を前記閉状態にすると、パッキン７の外周部７ａが蓋３の外周部と容器本体６の開口縁部６ａとの間を密封すると共に、注出筒２の先端部２ａは蓋３の内面（下面）のシール部３ａによって密封され、この二重の密封により、食品等を極めて衛生的に保存することができる。
【００２２】
しかも、蓋３の内面（下面）には、図１に示すように、環状の突起部３ｂが設けられ、この突起部３ｂによって蓋３の下面と注出筒２の先端部２ａとの密着面積が増大してシール性が向上する。加えて、蓋３が前記閉状態にあるときに蓋３の下面に容器本体６の内容物が付着しても、突起部３ｂによってその内容物の滴り落ちを促進することができ、蓋３を開けたときに内容物が蓋３の下面を伝って流れたりすることは効果的に防止され、この点でも衛生面での向上に寄与する。
【００２３】
また、本密封容器のヒンジ手段４は、蓋３の前記開状態（図２参照）を維持する機能を有し、本密封容器は使い勝手の面でも優れている。
【００２４】
すなわち、まず、ヒンジ手段４は、蓋３の外周に設けられた環状溝３ｃに沿って装着される蓋保持線材８と、容器本体６の首部に取り付けられる帯金具９とによって構成される。そして、図３に示すように、帯金具９は、後端側に二つの延長端部９ａを有し、蓋保持線材８は、帯金具９の二つの延長端部９ａ及び後述するヒンジカバー１０を各々内側から貫通する二つの外向き端部８ａ（図３参照）を有している。従って、蓋３は、二つの外向き端部８ａの軸回りに回動することになる。
【００２５】
斯かるヒンジ手段４が、蓋３の前記開状態（図２参照）を維持する機能を有するように、帯金具９の二つの延長端部９ａには合成樹脂製（ポリカーボネート製）のヒンジカバー１０が装着される。すなわち、図３に示すように、蓋保持線材８の二つの外向き端部８ａにはＬ字状のアーム部分８ｂがそれぞれ連なっている。そして、ヒンジカバー１０は、二つのアーム部分８ｂが係合する凹所１０ａを有し、蓋３が前記開状態になったとき（図２参照）には、図３に二点鎖線で示すように、二つのアーム部分８ｂが各々凹所１０ａに係合し、これにより、蓋３の前記開状態が維持されることになる。
【００２６】
従って、蓋３を前記開状態として容器本体６内に収容した液状の食品等を注出筒２から注出するときに、容器本体６を上下逆さにしても、蓋３が自重によって閉まるような不都合は生じないので、本密封容器は良好な注出性能を備えているといえる。
【００２７】
しかも、前記開状態とは、蓋３が注出筒２の先端部２ａから離間し所定角度開いた状態をいい、ここでの所定角度とは、図２に示すように、注出筒２を真上に向けた場合に蓋３が注出筒２の直上から退避した状態となる角度であって、具体的には前記閉状態のときを０度としたときに７５度〜１２５度（図示例では約９０度）開いた角度である。そのため、蓋３を開状態としたときに、仮に蓋３が少ししか開いていないと注出筒２から容器本体６の内容物を注出する際に蓋３をさらに開く追加操作が必要になるが、本密封容器では、開状態の蓋は注出作業に充分な程度開いているのでそのような追加操作を不要とすることができる。また、蓋３を開状態としたときに、重心が元の位置から大きくは移動せず、本密封容器の転倒の恐れを軽減することができる。以上の点から、本密封容器は使い勝手が非常に優れたものといえる。
【００２８】
そして、本密封容器は、ワンタッチで蓋３が開くワンタッチオープン機能を有し、片手での使用にも好適なものであり、以下、このワンタッチオープン機能について述べる。
【００２９】
まず、係止手段５は、帯金具９の平面視略コ字状となった前端部に対して、軸支部材（本例ではピン）１１により回動可能に取り付けられた係止金具１２と、この係止金具１２を蓋保持線材８の前端側に設けられた平面視コ字状の突出部８ｃに係止する方向（図１、図２において矢印イで示す方向）に付勢するための付勢部材（略ヘ字状の板ばね）１３とを有する。尚、付勢部材１３は軸支部材１１に跨り、その前端部１３ａは係止金具１２に対して接着等により接合されている。
【００３０】
斯かる係止手段５では、蓋３が前記閉状態にあるときに（図１参照）、係止金具１２の下部に設けられた操作部１２ａを容器本体６側に向けて押すと、係止金具１２の上部に設けられたフック部１２ｂが蓋保持線材８の突出部８ｃから離脱し、これにより、蓋３に対する係止手段５の係止が解除されることになる。そして、このとき、付勢部材１３の後端部１３ｂは容器本体６の前面のフラット部６ｂに当接し、付勢部材１３は係止金具１２を矢印イ方向に付勢し、フック部１２ｂが突出部８ｃの先端の曲面部分８ｄに係止可能な位置に戻し、その位置で停止させるように作用する。そのため、開いた蓋３が再び閉じるときに、蓋保持線材８の突出部８ｃの先端の曲面部分８ｄがフック部１２ｂに当接し、曲面部分８ｄの下方への移動に伴って係止金具１２は矢印イ方向と逆方向に少し回動するが、突出部８ｃがフック部１２ｂを越えてその下方に至ると、付勢部材１３の付勢により係止金具１２は再び矢印イ方向に少し回動し、自動的にフック部１２ｂが突出部８ｃに係止する状態となる。
【００３１】
一方、本密封容器では、容器本体６の外方（上方）に突出した注出筒２の先端部２ａは、蓋３から離間しているとき（図２参照）には、前記閉状態（図１参照）にあるときの蓋３におけるシール部３ａよりも容器本体６の外方（上方）に位置し（図１の破線参照）、かつ、前記開状態（図２参照）から前記閉状態（図１参照）になるときの蓋３に押圧されて容器本体６の内方（下方）に向けて押し込まれる位置にある。
【００３２】
そして、前記閉状態（図１参照）の蓋３に対する係止手段５の係止を解除すると蓋３が回動して前記開状態（図２参照）になるように、容器本体６の外方への注出筒２の突出量と、蓋３による注出筒２の先端部２ａの押し込みに伴って弾性変形するダイアフラム部１のばね定数とを設定してある。
【００３３】
すなわち、本密封容器では、図１に示すように、前記閉状態の蓋３に係止手段５が係止している状態では、ダイアフラム部１は注出筒２を介して蓋３によって押圧されて弾性変形し、弾性エネルギーを蓄積した状態にある。そして、係止手段５による蓋３に対する係止が解除されると、前記弾性エネルギーがダイアフラム部１から注出筒２を介して蓋３に伝達されて蓋３が上方（容器本体６の外方）に向かって移動する運動エネルギーに変換され（ダイアフラム部１の弾性復帰に伴って注出筒２の先端部２ａが蓋３のシール部３ａを押し出し（跳ね上げ））、さらに、この蓋３が上方に向かって移動する運動エネルギーは、ヒンジ手段４によって蓋３が二つの外向き端部８ａの軸回りに回動する運動エネルギーに変換され、最終的に、この運動エネルギーによって蓋３は回動して前記開状態（図２参照）になり、該開状態になった蓋３はヒンジ手段４によりその状態で保持されることになる。
【００３４】
斯かる本密封容器では、前記閉状態（図１参照）の蓋３を前記開状態（図２参照）とするときには、係止金具１２の操作部１２ａを押すだけでよく、また、前記開状態（図２参照）の蓋３を前記閉状態（図１参照）とするときには、蓋３を閉めるだけでよく、係止手段５等を操作する必要が無いので、開閉操作をともに片手であっても極簡単に行うことができる。
【００３５】
なお、本発明は、上記の実施の形態に何ら限定されず、本発明の要旨を逸脱しない範囲において種々に変形して実施し得ることは勿論である。例えば、以下のような変形例を挙げることができる。
【００３６】
上記実施の形態におけるダイアフラム部１は、パッキン７の一部であってシリコーンゴム製からなるが、これに限らず、上述した弾性エネルギーを蓄積可能な他の弾性材等からなっていてもよい。
【００３７】
上記実施の形態では、専らダイアフラム部１が弾性エネルギーを蓄積しているが、これに限らず、例えば、蓋３による注出筒２の先端部２ａの押し込みに伴って注出筒２も弾性変形して弾性エネルギーを蓄積するようにし、蓋３に対する係止手段５の係止が解除された際には、ダイアフラム部１及び注出筒２の両方に蓄積された弾性エネルギーが、蓋３を開状態とするための運動エネルギーに変換されるようにしてもよい。
【００３８】
上記実施の形態では、ダイアフラム部１及び注出筒２を有する注出口形成体がパッキン７である例を示したが、この注出口形成体は様々に変形可能であり、例えば、容器本体６に螺合により装着されるものであってもよい。
【００３９】
また、上記実施の形態では、ヒンジ手段４及び係止手段５を容器本体６に取り付けているが、これに限らず、例えば、ヒンジ手段４及び係止手段５を上記注出口形成体に設けたり取り付けたりするようにしてもよい。このように、注出口形成体にヒンジ手段４及び係止手段５を設けたり取り付けたりすれば、ヒンジ手段４を介して蓋３も注出口形成体に連結されることになり、これらを公知構成の容器本体６に咬合または螺合により装着される一つのキャップ装置として構成することもできる。
【００４０】
上記実施の形態のヒンジ手段４は、蓋３の前記開状態を維持する機能を有するが、そのような機能を有していなくてもよく、また、ヒンジ手段４の代わりに、スナップヒンジ（蓋３が前記閉状態から前記開状態までの中間位置にある場合に、蓋３がその位置から自動的に前記閉状態または前記開状態になるようにするスナップ機能を有するもの）を用いてもよい。さらに、ヒンジ手段４が維持する蓋３の開状態は、７５度〜１２５度開いた状態に限らず、この範囲外の状態（例えば１８０度程度開いた状態）であってもよく、ヒンジ手段４が、蓋３の開状態を維持する機能を有していなくともよい。
【００４１】
係止手段５には種々の構成を採用可能であるが、例えば特許文献１に記載されたバックルとフックとからなる係止手段は以下の理由から好適ではない。すなわち、斯かる係止手段では、蓋３を開放する際に、まずバックルを引き上げ、その後に蓋保持線材８の突出部８ｃからフックを外すという、いわばツータッチが必要であり、ワンタッチオープン機能は得られない。その上、ダイアフラム部１に蓄積された弾性エネルギーの少なくとも一部はバックルの引き上げに伴って消費されてしまい、その後にフックを外しても蓋３は自動的には開かず、係止手段による係止を解除すると蓋３が自動で開く機能（自動オープン機能）もが発揮されない恐れがある。そこで、フックを外したときに自動オープン機能を発揮するように、例えば注出筒２をより長くして弾性エネルギーの蓄積量を増大させる（バックルを引き上げた後でもダイアフラム部１が十分な弾性エネルギーを蓄積している状態にする）ことも考えられるが、その場合、蓋保持線材８の突出部８ｃにフックを掛ける際に蓋３をダイアフラム部１の付勢に抗して押さえなければならず、また、そのように掛けたフックを突出部８ｃから外す場合には比較的大きな力が必要になるなど、利便性が幾分損なわれる恐れがある。従って、本密封容器の利便性を維持しつつワンタッチオープン機能を確実に発揮させる上では、係止手段５には、一回の係止解除操作で蓋３を完全にフリーな状態とする構成を採用するのが望ましい。
【００４２】
容器本体６はガラス製に限らず、例えば合成樹脂製であってもよい。
【００４３】
容器本体６に収容する内容物は、液状の食品等に限らず、注出筒２から取り出すことができる性状の食品等（例えば、粉状である塩や胡椒、直線状の乾麺）であってもよい。
【００４４】
容器本体６の前面には、付勢部材１３の後端部１３ｂを安定性良く当接させるためにフラット部６ｂを設けてあるが、フラット部６ｂを設けなくてもよく、例えば、付勢部材１３の後端部１３ｂを容器本体６の曲面状の前面に安定性良く当接する形状にしてもよい。
【００４５】
なお、上記変形例どうしを適宜組み合わせてもよいことはいうまでもない。
【符号の説明】
【００４６】
１    ダイアフラム部
２    注出筒
２ａ  先端部
３    蓋
３ａ  シール部
４    ヒンジ手段
５    係止手段
６    容器本体
【図１】
2014091555.tif 000003
【図２】
2014091555.tif 000004
【図３】
2014091555.tif 000005